(57)【要約】【課題】エルボの開口部を極めて簡単な操作で仮止め施蓋することができ、しかも、溶接等による発錆を防止することでエルボ自体の電気的導通を確保し、更には、蓋体とエルボとの電気的接続も行うことができるエルボ装置を提供する。【解決手段】配線路の分岐部に用いられるエルボ１００とこのエルボ１００を施蓋する蓋体２００とで構成する。エルボ１００は、金具本体１０と、該金具本体１０の内部に重合される連結腕体２０とから成る。リベット３０にて金具本体１０と連結腕体２０との重合部分を一体に固定する。蓋体２００は、金具本体１０に外嵌して金具本体１０の開口部を施蓋するように形成する。蓋体２００に、リベット３０のかしめ突起３１に嵌合して蓋体２００を仮止めする仮止め凹部４０を設ける。蓋体２００から金具本体１０を貫通して連結腕部２０に接触する導通ネジ５０にて金具本体１０に蓋体２００を固定する。【選択図】  図１
2008104248.tif 000002
【特許請求の範囲】
【請求項１】
配線路の分岐部に用いられるエルボとこのエルボを施蓋する蓋体とで構成されるエルボ装置において、
エルボは、配線路が分岐する中央部分に配設される金具本体と、該金具本体の内部に重合され配線路の分岐方向に沿って配設される連結腕体とから成り、金具本体と連結腕体との重合部分を貫通するリベットにて一体に固定され、
蓋体は、金具本体に外嵌して金具本体の開口部を施蓋するように形成され、金具本体の外側面に突出したリベットのかしめ突起に嵌合して蓋体を仮止めする仮止め凹部が設けられ、該蓋体から金具本体を貫通して連結腕部に接触する導通ネジにて金具本体に固定されることを特徴とするエルボ装置。
【請求項２】
前記金具本体は、前記連結腕体の底部に位置する底板と、隣接する連結腕体の側板が交差する部分の外側面を覆う連結側板とを有し、該連結側板と連結腕体の側板とを前記リベットにて止着すると共に、該かしめ突起に前記蓋体を仮止めするように設けられた請求項１記載のエルボ装置。
【請求項３】
前記蓋体は、金具本体の開口部を施蓋する天板と、該天板から屈曲され連結腕部の側板に外嵌する連結片とを有し、該連結片に前記仮止め凹部と前記導通ネジをネジ止めするネジ孔とが設けられた請求項１又は２記載のエルボ装置。
【請求項４】
前記エルボは、Ｌ分岐型、Ｔ分岐型、Ｘ分岐型、アウトサイド型、インサイド型のいずれかのタイプに設けられた請求項１記載のエルボ装置。
【発明の詳細な説明】
【技術分野】
【０００１】
本発明は、たとえば第２種金属製線ぴや金属ダクト等（以下、配線路と称する）の配設工事において使用されるもので、配線路の分岐部に用いられるエルボとこのエルボを施蓋する蓋体とを着脱自在に構成したエルボ装置に関する。
【背景技術】
【０００２】
配線路の分岐部に配設されるエルボを施蓋する場合、従来では、エルボの開口部の形状に合致した蓋体を、蓋止め金具で固定する手段がとられている。この蓋止め金具は、弾性材の略コ字型を成す帯状金具で形成され、蓋体側から配線路を抱え込むように巻き付けて固定するものである。
【０００３】
特許文献1に記載されている配線路部材のカバーは、装着時の蓋止め金具（止め部材）がずれないように工夫されたものである。すなわち、このカバーによると、蓋止め金具が嵌まり込む切り欠き状の位置決め部や、直線用のカバーとエルボ用のカバーとの重なり部分に凸部状の位置決め部を設けることで、蓋止め金具装着時に、カバーの位置ずれを防止しようとするものである。
【０００４】
一方、特許文献２に記載された金属製の線樋接続具では、蓋止め金具の代わりにボルトを使用して蓋体を固定する接続具を提案している。この線樋接続具によると、Ｔ型のエルボに三角形状の結合具を組み合わせ、この結合具に蓋体をネジ止めするものである。
【特許文献１】特開２００３−３４７７６８号公報
【特許文献２】実公平５−３７６１７号公報
【発明の開示】
【発明が解決しようとする課題】
【０００５】
配線路部材が高所に配設される場合に、エルボの施蓋作業も配線路が高所で行うことになる。このような高所作業の場合、蓋体をエルボに仮止めできると作業の効率化を図ることが可能になる。ところが、特許文献１に記載されている配線路部材のカバーでは、エルボ用の蓋体を仮止めすることはできない。すなわち、特許文献1では、カバーのずれを防止できるとしても、蓋体自体に仮止め構造がないので、蓋止め金具で直接固定するまで仮止めすることはできないものである。したがって、エルボの開口部が下向きの場合には、蓋止め金具で直接固定しなければ蓋体が脱落する状態になる。また、従来の蓋止め金具を使用した場合、蓋体とエルボとの電気的接続を図ることも困難になっている。
【０００６】
また、特許文献２に記載の金属製の線樋接続具では、Ｔ型のエルボに三角形状の結合具を組み合わせ、この結合具に蓋体をネジ止めするものであるから、蓋体を仮止めすることは可能でも、結合具と蓋体とを組み合わせてエルボに仮止めするまでの作業に多くの手間  を要するものである。すなわち、この特許文献２によると、先ず、エルボに形成した係合部に三角形状の結合具を係合させ、次に、係合状態の結合具に蓋体をネジ止めする作業になるので、作業工程が多くなり、高所での作業に課題を有するものであった。
【０００７】
一方、従来のエルボを形成する場合に、例えばＬ分岐型や分岐型のタイプに合わせて形成した金属板を溶接にて接合し、仕上げにめっきを施す手段がとられていた。ところが溶接を先に行うと、めっきの溶液が溶接部分で錆付くおそれがある。また、めっきの後に溶接を行うと、隙間に入り込んだめっきの溶液が溶接の妨げになり、この隙間部分で発錆するケースもあった。この結果、錆びにより見栄えを損ねるだけでなく、この錆やめっきの溶液がエルボの電気的導通を妨げるおそれもあるなどといった課題が生じていた。
【０００８】
そこで本発明は上述の課題を解消すべく創出されたもので、エルボの開口部を極めて簡単な操作で仮止め施蓋することができ、しかも、溶接等による発錆を防止することでエルボ自体の電気的導通を確保し、更には、蓋体とエルボとの電気的接続も行うことができるエルボ装置の提供を目的とするものである。
【課題を解決するための手段】
【０００９】
上述の目的を達成すべく本発明における第１の手段は、配線路の分岐部に用いられるエルボ１００とこのエルボ１００を施蓋する蓋体２００とで構成されるエルボ装置において、エルボ１００は、配線路が分岐する中央部分に配設される金具本体１０と、該金具本体１０の内部に重合され配線路の分岐方向に沿って配設される連結腕体２０とから成り、金具本体１０と連結腕体２０との重合部分を貫通するリベット３０にて一体に固定され、蓋体２００は、金具本体１０に外嵌して金具本体１０の開口部を施蓋するように形成され、金具本体１０の外側面に突出したリベット３０のかしめ突起３１に嵌合して蓋体２００を仮止めする仮止め凹部４０が設けられ、該蓋体２００から金具本体１０を貫通して連結腕部２０に接触する導通ネジ５０にて金具本体１０に固定されることにある。
【００１０】
第２の手段の前記金具本体１０は、前記連結腕体２０の底部に位置する底板１１と、隣接する連結腕体２０の側板２１が交差する部分の外側面を覆う連結側板１２とを有し、該連結側板１２と連結腕体２０の側板２１とを止着した前記リベット３０のかしめ突起３１に前記蓋体２００を仮止めするように設けられている。
【００１１】
第３の手段の前記蓋体２００は、金具本体１０の開口部を施蓋する天板２０１と、該天板２０１から屈曲され連結腕部２０の側板１２に外嵌する連結片２０２とを有し、該連結片２０２に前記仮止め凹部４０と前記導通ネジ５０をネジ止めするネジ孔６０とが設けられている。
【００１２】
第４の手段の前記エルボ１００は、Ｌ分岐型１１０、Ｔ分岐型１２０、Ｘ分岐型１３０、アウトサイド型１４０、インサイド型１５０のいずれかのタイプに設けられたことを課題解消のための手段とする。
【発明の効果】
【００１３】
本発明の請求項１によると、エルボ１００に設けたリベット３０のかしめ突起３１と、蓋体２００に設けた仮止め凹部４０とを嵌合するといった簡単な操作で、エルボの開口部を仮止め施蓋することができる。したがって、たとえエルボ１００の開口部が下向きの場合でも、簡単且つ確実に蓋体２００を仮止めできるので、特に高所での作業を極めて合理的に行うことができるものである。
【００１４】
また、エルボ１００は、金具本体１０と連結腕体２０との重合部分を貫通するリベット３０にて一体に固定されているので、溶接手段は一切必要がなくなり、溶接とめっきとの不具合にて生じる発錆を防止することができる。この結果、溶接等による発錆を防止することでエルボ１００自体の電気的導通を確保が可能になった。
【００１５】
更に、蓋体２００は、該蓋体２００から金具本体１０を貫通して連結腕部２０に接触する導通ネジ５０にて金具本体１０に固定されるので、蓋体２００とエルボ１００との電気的接続も行うことができ、より安全な配線工事が行える。
【００１６】
請求項２によると、連結側板１２と連結腕体２０の側板２１とを止着した前記リベット３０のかしめ突起３１に前記蓋体２００を仮止めするように設けたことで、エルボ１００を固定するリベット３０と、蓋体２００を仮止めするかしめ突起３１とが同じ部材であることから、合理的な製造を可能にしている。
【００１７】
請求項３の蓋体２００は、金具本体１０の開口部を施蓋する天板２０１と、該天板２０１から屈曲され連結腕部２０の側板２１に外嵌する連結片２０２とを有し、該連結片２０２に前記仮止め凹部４０と前記導通ネジ５０をネジ止めするネジ孔６０とが設けられているので、蓋体２００の構造が簡略化され、しかも、エルボ１００の開口部側からの操作で蓋体２００を簡単に仮止めすることができる。
【００１８】
請求項４によると、エルボ１００のタイプを、Ｌ分岐型１１０、Ｔ分岐型１２０、Ｘ分岐型１３０、アウトサイド型１４０、インサイド型１５０のいずれかのタイプに設けているので、配線路のあらゆる分岐部に対応した工事が可能になる。
【００１９】
このように本発明によると、エルボの開口部を極めて簡単な操作で仮止め施蓋することができ、しかも、溶接等による発錆を防止することでエルボ自体の電気的導通を確保し、更には、蓋体とエルボとの電気的接続も行うことができるなどといった種々の効果を奏するものである。
【発明を実施するための最良の形態】
【００２０】
本発明エルボ装置の最良の形態は、配線路の分岐部に用いられるエルボ１００とこのエルボ１００を施蓋する蓋体２００とで構成されるエルボ装置を構成相する。エルボ１００は、配線路が分岐する中央部分に配設される金具本体１０と、該金具本体１０の内部に重合され配線路の分岐方向に沿って配設される連結腕体２０とから成る。金具本体１０と連結腕体２０との重合部分を貫通するリベット３０にて一体に固定する。蓋体２００は、金具本体１０に外嵌して金具本体１０の開口部を施蓋するように形成する。金具本体１０の外側面に突出したリベット３０のかしめ突起３１に嵌合して蓋体２００を仮止めする仮止め凹部４０を設ける。該蓋体２００から金具本体１０を貫通して連結腕部２０に接触する導通ネジ５０にて金具本体１０に蓋体２００を固定する。金具本体１０は、前記連結腕体２０の底部に位置する底板１１と、隣接する連結腕体２０の側板２１が交差する部分の外側面を覆う連結側板１２とを有する。該連結側板１２と連結腕体２０の側板２１とを止着した前記リベット３０のかしめ突起３１に前記蓋体２００を仮止めする。蓋体２００は、金具本体１０の開口部を施蓋する天板２０１と、該天板２０１から屈曲され連結腕部２０の側板２１に外嵌する連結片２０２とを有する。該連結片２０２に前記仮止め凹部４０と前記導通ネジ５０をネジ止めするネジ孔６０とを設ける。エルボ１００は、Ｌ分岐型１１０、Ｔ分岐型１２０、Ｘ分岐型１３０、アウトサイド型１４０、インサイド型１５０のいずれかのタイプに設けることで当初の目的を達成するものである。
【実施例】
【００２１】
以下、本発明の一実施例を説明する。本発明エルボ装置は、配線路の分岐部に用いられるエルボ１００と、このエルボ１００を施蓋する蓋体２００とで構成する（図１参照）。
【００２２】
エルボ１００は、更に、金具本体１０と連結腕体２０とで構成する。金具本体１０は、配線路が分岐する中央部分に配設される金具である。この金具本体１０は、前記連結腕体２０の底部に位置する底板１１と、隣接する連結腕体２０の側板２１が交差する部分の外側面を覆う連結側板１２と、交差部以外を覆う側板１３とを有している。
【００２３】
図１乃至図１２に示す実施例の連結腕体２０には、隣接する連結腕体２０の側板２１が交差する部分に、連結腕体２０の長手方向に対して略４５゜の角度で斜めに配設される補助側板２２を設けている。そして、この補助側板２２の外側面に、金具本体１０の連結側板１２を重合するものである。また、図１３に示す実施例の連結腕体２０は、この補助側板２２を設けず、直交状態の側板２１に連結側板１２を重合している。
【００２４】
連結腕体２０は、該金具本体１０の内部に重合し、配線路の分岐方向に沿って配設される金具である（図３参照）。そして、金具本体１０と連結腕体２０とをリベット３０で連結する。図示例では、連結側板１２と補助側板２２との重合部分、及び金具本体１０と連結腕体２０との側板１３、側板２１をリベット３０固定することで、金具本体１０と一体に設けられている。したがって、金具本体１０と連結腕体２０との連結手段に溶接手段は用いられない。更に、金具本体１０の連結側板１２と連結腕体２０の側板２１とを止着した前記リベット３０のかしめ突起３１に、後述する蓋体２００を仮止めするように設けている（図３参照）。
【００２５】
一方、蓋体２００は、金具本体１０に外嵌して金具本体１０の開口部を施蓋するように形成されている（図２参照）。この蓋体２００は、金具本体１０の開口部を施蓋する天板２０１と、該天板２０１から屈曲され連結腕部２０の側板２１や補助側板２２に外嵌する連結片２０２とを有している（図１参照）。そして、該連結片２０２に仮止め凹部４０を設け、前記金具本体１０の側板２１から突出したリベット３０のかしめ突起３１に、この仮止め凹部４０を嵌合して蓋体２００を仮止めするものである（図４参照）。図示の仮止め凹部４０は凹状に設けているが、仮止め凹部４０を孔状に設けてもよい。
【００２６】
更に、蓋体２００にはネジ孔６０が設けられている（図１参照）。このネジ孔６０には、導通ネジ５０をネジ止めし、蓋体２００から金具本体１０のネジ挿通孔７０を貫通して連結腕部２０に接触させるものである。この導通ネジ５０を締付けることで、金具本体１０に蓋体２００を確実に固定すると共に、金具本体１０すなわちエルボ１００と蓋体２００との電気的接続を図るものである（図４参照）。
【００２７】
本発明エルボ装置のエルボ１００は、Ｌ分岐型１１０、Ｔ分岐型１２０、Ｘ分岐型１３０、アウトサイド型１４０、インサイド型１５０のいずれかのタイプに設けられている。
【００２８】
図１乃至図３のエルボ１００は、Ｌ分岐型１１０を示している。このタイプのエルボ１００は、連結側板１２及び側板１３の三箇所を夫々リベット３０で止着し、補助側板２２に重合する連結側板１２にネジ挿通孔７０を開穿している（図１参照）。
【００２９】
図４乃至図６のエルボ１００は、Ｔ分岐型１２０を示し、三箇所の連結側板１２を夫々リベット３０で止着している（図６参照）。このタイプでは、ネジ挿通孔７０を連結腕体２０の側板２１に重合する連結側板１２に開穿している（図４参照）。
【００３０】
図７乃至図９のエルボ１００は、Ｘ分岐型１３０を示し、四箇所の補助側板２２と連結側板１２とをリベット３０で止着している。更に、底板１１を連結腕体２０の底部２３に止着する。ネジ挿通孔７０は、連結側板１２に開穿している。
【００３１】
図１０乃至１２のエルボ１００は、アウトサイド型１４０を示す。この例では、連結腕体２０の底部２３が外側に向いて屈曲しているので、金具本体１０の底板１１もこの底部２３に合わせて配設し、夫々リベット３０で止着している。また、ネジ挿通孔７０は、左右一対の連結側板１２に開穿している。
【００３２】
図１３乃至図１５のエルボ１００は、インサイド型１５０を示している。この例では、連結腕体２０の底部２３が内側に向いて屈曲しているので、金具本体１０の底板１１もこの底部２３に合わせて配設している。そして、左右一対の連結側板１２をネジ挿通孔７０で止着し、この連結側板１２にネジ挿通孔７０を開穿している。
【００３３】
尚、図中符号２５は、連結腕体２０と配線路とを重ねて固定する際に使用する固定ねじ体（図示せず）をネジ止めする固定ネジ孔２５であり、符号２６は、連結腕体２０と配線路とを連結する際に選択使用される連結用孔２６である。また、本発明は、図示例に限定されるものではなく、たとえば、金具本体１０や連結腕体２０、あるいは蓋体２００の形状やリベット３０の止着位置、仮止め凹部４０やネジ孔６０の位置や形状などは、本発明の要旨を変更しない範囲で任意に設計変更できるものである。
【図面の簡単な説明】
【００３４】
【図１】本発明のＬ分岐型エルボの実施例を示す分解斜視図である。
【図２】同じく平面図である。
【図３】同じく平断面図である。
【図４】本発明のＴ分岐型エルボの実施例を示す分解斜視図である。
【図５】同じく平面図である。
【図６】同じく平断面図である。
【図７】本発明のＸ分岐型エルボの実施例を示す分解斜視図である。
【図８】同じく平面図である。
【図９】同じく平断面図である。
【図１０】本発明のアウトサイド型エルボの実施例を示す分解斜視図である。
【図１１】同じく平面図である。
【図１２】同じく平断面図である。
【図１３】本発明のインサイド型エルボの実施例を示す分解斜視図である。
【図１４】同じく平面図である。
【図１５】同じく平断面図である。
【符号の説明】
【００３５】
１０  金具本体
１１  底板
１２  連結側板
１３  側板
１４  連結孔
２０  連結腕体
２１  側板
２２  補助側板
２３  底部
２４  連結孔
２５  固定ネジ孔
２６  連結用孔
３０  リベット
３１  かしめ突起
４０  仮止め凹部
５０  導通ネジ
６０  ネジ孔
１００  エルボ
１１０  Ｌ分岐型
１２０  Ｔ分岐型
１３０  Ｘ分岐型
１４０  アウトサイド型
１５０  インサイド型
２００  蓋体
２０１  天板
２０２  連結片
【図１】
2008104248.tif 000003
【図２】
2008104248.tif 000004
【図３】
2008104248.tif 000005
【図４】
2008104248.tif 000006
【図５】
2008104248.tif 000007
【図６】
2008104248.tif 000008
【図７】
2008104248.tif 000009
【図８】
2008104248.tif 000010
【図９】
2008104248.tif 000011
【図１０】
2008104248.tif 000012
【図１１】
2008104248.tif 000013
【図１２】
2008104248.tif 000014
【図１３】
2008104248.tif 000015
【図１４】
2008104248.tif 000016
【図１５】
2008104248.tif 000017